(57)【要約】【課題】本発明はオンライン診断方法及び装置に関し、データ誤りがある疑似受信波を生成することができ、またＢＥＲを算出し、診断する構成とすることを目的としている。【解決手段】受信信号を復調する復調回路６３と診断用疑似受信波を生成する診断用疑似受信波生成部６１と受信データの誤り率を測定する自己診断回路６４と受信信号と疑似受信波とを受けていずれか一方を選択する選択回路６２とで構成される復調部６０と、該復調部６０を制御するＭＰＵ５５とで構成される無線基地局装置のオンライン診断装置において、前記疑似受信波生成部６１のデータとしてエラーデータ若しくは干渉波を用い、受信信号ルートに挿入したエラーデータ若しくは干渉波を受けてビットエラーレートを測定するように構成する。【選択図】図１
2008300900.tif 000002
【特許請求の範囲】
【請求項１】
受信信号を復調する復調回路と、診断用疑似受信波を生成する診断用疑似受信波生成部と、受信データの誤り率を測定する自己診断回路と、受信信号と疑似受信波とを受けていずれか一方を選択する選択回路とで構成される無線基地局装置の復調部を有する装置において、
前記疑似受信波生成部のデータとしてエラーデータ若しくは干渉波を用い、
受信信号ルートに挿入したエラーデータ若しくは干渉波を受けてビットエラーレートを測定する、
ことを特徴とするオンライン診断方法。
【請求項２】
受信信号を復調する復調回路と診断用疑似受信波を生成する診断用疑似受信波生成部と受信データの誤り率を測定する自己診断回路と受信信号と疑似受信波とを受けていずれか一方を選択する選択回路とで構成される復調部とで構成される無線基地局装置のオンライン診断装置において、
前記疑似受信波生成部のデータとしてエラーデータ若しくは干渉波を用い、
受信信号ルートに挿入したエラーデータ若しくは干渉波を受けてビットエラーレートを測定する、
ように構成したことを特徴とするオンライン診断装置。
【請求項３】
前記自己診断回路は、期待値一致による診断ＯＫ／ＮＧ、或いはビットエラーレートを算出して、閾値と比較して診断のＯＫ／ＮＧを判定するようにしたことを特徴とする請求項２記載のオンライン診断装置。
【請求項４】
複数の前記復調部のうち、一部に対して診断を行なう場合に、その復調部が運用されているかいないかを判断し、運用されていない場合に診断するようにしたことを特徴とする請求項２記載のオンライン診断装置。
【請求項５】
複数の前記復調部のうち、一部に対して診断を行なう場合に、その復調部が運用されているかいないかを判断し、運用されている場合には、運用中のチャネルを別の復調部へ追い出しを行ない、空きを作った上で診断を行なうようにしたことを特徴とする請求項２記載のオンライン診断装置。
【発明の詳細な説明】
【技術分野】
【０００１】
本発明はオンライン診断方法及び装置に関し、更に詳しくは基地局装置搭載のベースバンド復調部の自己診断方法及び装置に関する。別言すれば、ＢＥＲ（Ｂｉｔ  Ｅｒｒｏｒ  Ｒａｔｅ）をオンラインで測定することができるようにしたオンライン診断方法及び装置に関する。
【０００２】
移動通信システムにおいては、信頼性の高い運用が必要とされ、複数のユーザ端末（例えば携帯電話）と通信を行なう基地局装置では、システムダウン、運用停止を避けるため、更に高い信頼性が必要とされる。これらの要求を満たすため、さまざまなエラー、アラーム監視、自律診断や自己診断機能がベースバンド復調部にも搭載されている。
【０００３】
自己診断においては、メモリチェックやインターフェースのアクセスチェック等があるが、復調部に関しては、復調結果の期待値一致等も復調部の診断となる。自己診断は、運用状態（サービス提供状態）での診断、いわゆるオンライン診断と、非運用状態（サービス非提供状態）での診断、いわゆるオフライン診断がある。
【０００４】
前者はパリティチェック等のインターフェースのエラーチェック等があり、後者はメモリ全域のメモリチェックや、疑似受信波を使用した自己診断等が挙げられる。高い信頼性とは、高い診断能力を有することであり、後者の詳細な自己診断が重要となってくる。
【背景技術】
【０００５】
図１７は従来のベースバンド復調部の診断回路の構成例を示す図である。ベースバンド復調部は、図１７の中で復調部１〜復調部３として示されている。これら復調部６０は、チャネル単位、若しくは複数チャネルを有するブロック単位、若しくは複数ブロックを有するカード（プリント板）単位に設けられている。
【０００６】
アンテナ５０から受信された受信信号は、続く無線受信回路５１で受信された後、分配器５２に入力される。分配器５２は３つに分配して各復調部６０に与える。復調部６０は、復調回路６３で構成されているが、自己診断のために、疑似受信波生成部６１、無線受信波と疑似受信波の信号を切り替える選択回路（信号スイッチ）６２、復調回路６３の出力を期待値などと比較して診断（ＯＫ／ＮＧ）の判断を行なう自己診断回路６４からなる。また、これらを制御する外部若しくは内部のＭＰＵの制御部５５からなる。図は、ＭＰＵ５５が外部に設けられた例を示している。
【０００７】
復調回路６３は、例えばＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）基地局装置のベースバンド復調部の場合、ＣＤＭＡ（Ｃｏｄｅ  Ｄｉｖｉｓｉｏｎ  Ｍｕｌｔｉｐｌｅ  Ａｃｃｅｓｓ）変調された無線信号を復調する回路であって、例えばＣＤＭＡ逆拡散、インタリーブされた信号のデインタリーブ処理、符号化されたデータの復号処理等を司る。
【０００８】
疑似受信波生成部６１は、図１８に示すような構成をとる。復調回路６３で復調できるような信号を生成するため、ＣＤＭＡ装置では、例えばデータ生成部６１ｂからのデータは、符号化部７１、拡散部７４及び拡散コード生成部７３からなる変調回路７０に入る。
【０００９】
自己診断回路６４は、例えば図１９に示すような構成をとる。復調回路６３からの出力（復調データ）を格納するメモリ８１、復調データと比較するための期待値を格納しておくメモリ８２、復調データと期待値を比較し期待値一致を検出する期待値一致検出８３、それらのタイミングをとるタイミング生成部８４から構成されている。期待値一致検出回路８３からは、最終的に診断ＯＫ又はＮＧを出力する。
【００１０】
図２０は従来装置の他の構成例を示すブロック図であり、特許文献１に記載されているものである。この装置は、送信回路にＰＮパターン発生器を設けて、送信波を受信系の受信波に入力することで、外部試験信号発生回路からの信号の干渉入力とした構成である。屋外に設置した状態で、かつ無線特性等の受信特性を試験するためにこのような構成をとっている。
【００１１】
図２１は従来装置の他の構成例を示すブロック図である（特許文献２）。この構成例は、受信系を示しており、図の復調器周辺の受信試験を行なうにあたって、ＩＦ変調器及び周辺の受信回路からの信号をローカルオッシレータとミキシングして復調部に入力することで、受信回路だけで受信波を疑似的に生成する構成となっている。
【特許文献１】特開２００１−３６４８８号公報（段落００３５〜００６８、図１、図６）
【特許文献２】特開昭５９−１７４０３６号公報（第１頁左下欄１３行〜第２頁左上欄第１５行）
【発明の開示】
【発明が解決しようとする課題】
【００１２】
図１７〜図１９に示す装置では、以下に示すような問題がある。従来例においては、自己診断が期待値一致でのＯＫ／ＮＧ判断で行われていた。ここで、診断ＯＫとは、データの値が期待値と完全一致の場合もあるし、ある一定の範囲内に入れば診断ＯＫと判断する場合もある。何れにしても、期待値一致はメモリに格納できた時間だけ実施される。
【００１３】
一方、無線基地局は、無線伝搬された受信波を扱うため、データフリー（誤りなし）の状態での実際の運用はあり得なく、ある程度の誤りが発生する状態で運用される。例えばビットエラーレート（Ｂｉｔ  Ｅｒｒｏｒ  Ｒａｔｅ：ＢＥＲ）＝１０-2環境での運用（サービス提供）となる。この運用状態に近い形での、自己診断を行おうとすると、従来の疑似受信波発生回路では、データフリーとなるため、できない。
【００１４】
このため、本発明では疑似受信波発生回路に、更に干渉発生回路を設けてＢＥＲ＝１０-2などの状態を作り出し、自己診断する回路及び方法を提供することを目的とする。また、従来の復調部の診断では、非運用中（音声通話やデータ通信などのサービス提供していない状態）での自己診断であった。この場合、運用中には自己診断を実施することができなかった。このため、本発明では復調部自己診断を運用中に実施することを目的としている。
【００１５】
従来例では、疑似受信波生成部のみであり、その復調結果はデータフリーとなり、上記で述べた無線伝搬された受信波を模した誤りがある診断用の疑似受信波を作ることができない。本発明は、データ誤りがある疑似受信波を生成することを目的とする。
【００１６】
また、従来例では、自己診断回路は期待値一致による診断を行なっており、ＢＥＲを算出して診断する構成にはなっていない。本発明はＢＥＲを算出し、診断する構成を目的としている。
【００１７】
また、従来例では、復調部の診断を行なう場合に運用状態（サービス提供中）で実施できないため、自己診断を実施することができるように復調部を制御することを目的としている。
【課題を解決するための手段】
【００１８】
（１）請求項１記載の発明は、受信信号を復調する復調回路と、診断用疑似受信波を生成する診断用疑似受信波生成部と、受信データの誤り率を測定する自己診断回路と、受信信号と疑似受信波とを受けていずれか一方を選択する選択回路と、これら各構成要素を制御するＭＰＵとで構成される無線基地局装置のベースバンド復調部を有する装置において、前記疑似受信波生成部のデータとしてエラーデータ若しくは干渉波を用い、受信信号ルートに挿入したエラーデータ若しくは干渉波を受けてビットエラーレートを測定する、ことを特徴とする。
（２）請求項２記載の発明は、受信信号を復調する復調回路と診断用疑似受信波を生成する診断用疑似受信波生成部と受信データの誤り率を測定する自己診断回路と受信信号と疑似受信波とを受けていずれか一方を選択する選択回路とで構成される復調部と、該復調部を制御するＭＰＵとで構成される無線基地局装置のオンライン診断装置において、前記疑似受信波生成部のデータとしてエラーデータ若しくは干渉波を用い、受信信号ルートに挿入したエラーデータ若しくは干渉波を受けてビットエラーレートを測定する、ように構成したことを特徴とする。
（３）請求項３記載の発明は、前記自己診断回路として、期待値一致による診断ＯＫ／ＮＧ、或いはＢＥＲを算出して、閾値と比較して診断のＯＫ／ＮＧを判定するようにしたことを特徴とする。
（４）請求項４記載の発明は、前記複数の復調部のうち、一部に対して診断を行なう場合に、その復調部が運用されているかいないかを前記ＭＰＵで判断し、空いている場合に診断するようにしたことを特徴とする。
（５）請求項５記載の発明は、前記複数の復調部のうち、一部に対して診断を行なう場合に、その復調部が運用されているかいないかをＭＰＵで判断し、空いていない場合には、運用中のチャネルを別の復調部へ追い出しを行ない、空きを作った上で診断を行なうようにしたことを特徴とする。
【発明の効果】
【００１９】
（１）請求項１記載の発明によれば、疑似的な干渉波やエラーデータを用いて受信信号ルートに挿入することで、ＢＥＲを測定するようにしているので、疑似受信波生成部に、更に干渉発生回路を設けてＢＥＲ＝１０-2などの状態を作り出し、自己診断する方法を提供することができる。
（２）請求項２記載の発明によれば、疑似的な干渉波やエラーデータを用いて受信信号ルートに挿入することで、ＢＥＲを測定するようにしているので、疑似受信波生成部に、更に干渉発生回路を設けてＢＥＲ＝１０-2などの状態を作り出し、自己診断する装置を提供することができる。
（３）請求項３記載の発明によれば、期待値一致による診断ＯＫ／ＮＧ、或いはＢＥＲを算出して閾値と比較して診断のＯＫ／ＮＧを判定することができる。
（４）請求項４記載の発明によれば、復調部が空いている場合に診断を行なうようにしてオンライン診断を行なうことができる。
（５）請求項５記載の発明によれば、復調部が空いていない場合には、その復調部の運用中のチャネルを別の復調部へ追い出して空きを作り、診断を行なうようにすることができる。
【発明を実施するための最良の形態】
【００２０】
以下、図面を参照して本発明の実施の形態を詳細に説明する。図１は本発明の第１の実施の形態を示すブロック図である。図１７と同一のものは、同一の符号を付して示す。この実施の形態は、疑似受信波生成部６１のデータにエラーデータ若しくは干渉波を挿入する回路を設けたものである。図では、エラー挿入部６１ａを設け、データにエラーを挿入する例を示している。その他の構成は、図１７と同じである。このように構成された回路の動作を説明すれば、以下の通りである。
【００２１】
アンテナ５０で受信された信号は無線受信回路５１で受信された後、続く分配器５２で３方向に分配され、それぞれの復調部６０に入る。各復調部６０では、疑似受信波生成部６１の出力と、受信信号とが選択回路６２に入り、ＭＰＵ５５からの制御信号により何れか一方が選択されるようになっている。疑似受信波生成部６１には、エラー挿入部６１ａが設けられており、疑似受信波生成部６１で生成されたデータにエラー成分が重畳される。
【００２２】
ＢＥＲ測定モードの場合、ＭＰＵ５５の制御により選択回路６２で疑似受信波生成部６１が選択されると、エラーのあるデータが復調回路６３に入って復調され、続く自己診断回路６４でＢＥＲが算出され、ＭＰＵ５５に通知される。本発明では、ＢＥＲが１０-2程度になるような環境で試験が行われる。
【００２３】
図２は疑似受信波生成部６１の第１の実施の形態を示すブロック図である。６１ａはデータを生成するデータ生成部、６５はエラーを記憶しており、記憶されているエラーを発生するエラー発生部、６１ｃはデータ生成部６１ｂの出力とエラー発生部６５の出力とを加算する加算器である。該加算器６１ｃの出力は、データにエラー成分が重畳されたものとなる。６１０は加算器６１ｃの出力を受けて変調する変調回路である。
【００２４】
該変調回路６１０は、符号化部６１０ａ、拡散コード生成部６１０ｂ及び符号化部６１０ａと拡散コード生成部６１０ｂの出力を受けて、拡散処理を行なう拡散部６１０ｃから構成されている。該拡散部６１０ｃの出力が変調データとなる。このように構成された回路の動作を説明すれば、以下の通りである。
【００２５】
データ生成部６１ｂで生成されたデータに加算器６１ｃでエラー発生部６５からのエラーが加算される。この加算データは、続く符号化部６１０ａで符号化された後、拡散部６１０ｃに入力される。一方、拡散コード生成部６１０ｂからは拡散コードが生成されて拡散部６１０ｃに与えられる。この結果、変調回路６１０からは拡散部６１０ｃから変調された疑似受信波が出力されることになる。
【００２６】
図３は疑似受信波生成部の第２の実施の形態を示すブロック図である。図２と同一のものは、同一の符号を付して示す。この実施の形態は、変調回路６１０’内に拡散コード生成部６１０ｂを設け、符号化部６１０ａの出力と、拡散コード生成部６１０ｂの出力を拡散部６１０ｃで混合したものを出力し、続く加算器５６でエラー発生部６５の出力とを加算するようにしたものである。このように構成しても、加算器５６から変調された疑似受信波が出力されることになる。
【００２７】
このように、本発明によれば、疑似的な干渉波やエラーデータを用いて受信信号ルートに挿入することで、ＢＥＲを測定するようにしているので、疑似受信波生成部に、更に干渉発生回路を設けてＢＥＲ＝１０-2などの状態を作り出し、自己診断する方法を提供することができる。
【００２８】
図４は自己診断回路の第１の実施の形態を示すブロック図である。図において、自己診断回路６４は、復調データを記憶する第１のメモリ６４ａと、期待値を記憶する第２のメモリ６４ｂと、これら第１及び第２のメモリ６４ａ，６４ｂの出力を受けて、復調データと期待値とが一致するかどうかを検出する期待値一致検出部６４ｃとタイミング生成部６４ｄから構成されている。タイミング生成部６４ｄは、各箇所にタイミング信号を与える。このように構成された回路の動作をフローチャートを用いて説明する。
【００２９】
図５は自己診断回路の動作の一例を示すフローチャートである。先ず、復調データを第１のメモリ６４ａに格納する（Ｓ１）。次に、期待値一致検出部６４ｃは第１のメモリ６４ａに格納されている復調データと、第２のメモリ６４ｂに格納されている期待値とを比較する（Ｓ２）。不一致の場合には、診断結果ＮＧと判定する（Ｓ３）。一致の場合には、診断結果ＯＫと判定する（Ｓ４）。これら判定結果は、期待値一致検出部６４ｃからＯＫ／ＮＧとして通知される（Ｓ５）。
【００３０】
図６は自己診断回路の第２の実施の形態を示すブロック図である。図４と同一のものは、同一の符号を付して示す。図において、６４ａは復調データを記憶する第１のメモリ、６４ｅはＰＮデータを記憶し、ＰＮデータを発生するＰＮデータメモリ、６４ｄはタイミング生成部、６４ｆは第１のメモリ６４ａから読み出した復調データとＰＮデータ記憶部６４ｅから読み出したＰＮデータとを受けてＢＥＲを測定するＢＥＲ測定回路である。
【００３１】
６４ｇは基準ＢＥＲを記憶する基準ＢＥＲメモリ、６４ｈはＢＥＲ測定回路６４ｆからのＢＥＲと基準ＢＥＲ記憶部から読み出した基準ＢＥＲとを受けて、しきい値判定を行なうしきい値判定部である。該しきい値判定部６４ｈからＯＫ／ＮＧが出力される。このように構成された回路の動作をフローチャートを用いて説明する。
【００３２】
図７は自己診断回路の動作の一例を示すフローチャートである。先ず、復調データを第１のメモリ６４ａに格納する（Ｓ１）。ＢＥＲ測定回路６４ｆは、復調データのＢＥＲと、ＰＮデータメモリ６４ｅから読み出したＰＮデータとを受けてＢＥＲを測定する（Ｓ２）。次に、しきい値判定部６４ｈは、得られたＢＥＲが基準ＢＥＲメモリ６４ｇに格納されている基準のＢＥＲと比較してＢＥＲ測定値が基準ＢＥＲよりも小さいかどうかをチェックする（Ｓ３）。
【００３３】
ＢＥＲ測定結果が基準ＢＥＲよりも大きい場合には、しきい値判定部６４ｈは診断結果ＮＧと判定する（Ｓ４）。ＢＥＲ測定結果が基準ＢＥＲよりも小さい場合には、診断結果ＯＫと判定する（Ｓ５）。しきい値判定部６４ｈは、診断結果に応じてＯＫ／ＮＧを出力する（Ｓ６）。この場合において、ＢＥＲ＝１０-2等の状態を作り出し、ＢＥＲ＝２×１０-2以下であればＯＫ、或いはＢＥＲ＝８×１０-3以上ＢＥＲ＝２×１０-2以下の範囲であればＯＫなどと判断する。この実施の形態によれば、実際の無線伝搬環境を模した状態での自己診断を行なうことができる。
【００３４】
このように、本発明によれば、期待値一致による診断ＯＫ／ＮＧ、或いはＢＥＲを算出して閾値と比較して診断のＯＫ／ＮＧを判定することができる。
複数の変調部のうち、一部に対して診断を行なう場合に、その復調部が運用されていないか、つまりチャネルが空いているか否かをＭＰＵ等の制御部で判断し、空いている場合に診断する方法について説明する。図８は本発明の第１の動作の一例を示すフローチャートである。図では、復調部が１〜３の３つあり、それとＭＰＵとが信号のやりとりを行なう場合について説明する。
【００３５】
復調部は、前述したように、チャネル単位若しくは複数チャネルを有するブロック単位、若しくは複数ブロックを有するカード単位に設定されるものである。先ず、診断実施ブロックの判断を行なう（Ｓ１）。ここでは、復調部２に実施したものとする。次に、ＭＰＵから復調部２，復調部３に対してチャネルの空き状況を確認する（Ｓ２）。この確認通知を受けた復調部２は、ＭＰＵに対してチャネルの空き状況の通知を行なう（Ｓ３）。同様に、復調部３もＭＰＵに対してチャネルの空き状況の通知を行なう（Ｓ４）。
【００３６】
ＭＰＵはこれらチャネルの空き状況の通知を受けて、チャネルが空いているかどうかをチェックする（Ｓ５）。チャネルが空いていなければ処理を修了する。チャネルが空いている場合（ここでは復調部２が空いていることを確認するものとする）、自己診断動作を行わせる。
【００３７】
先ず、ＭＰＵは診断の準備を復調部２に対して行わせる（Ｓ６）。復調部２では、診断の準備を行なう（Ｓ７）。診断の準備通知が終了したら、ＭＰＵは今度は診断実施を復調部２に対して行わせる（Ｓ８）。この通知を受けた復調部２は診断を実施する（Ｓ９）。診断の実施とは、図４，図５に示すような処理をいう。復調部２では、前述したような診断処理を行ない、その結果のＯＫ／ＮＧをＭＰＵに通知する（Ｓ１０）。診断結果を受けたＭＰＵは診断後処理を行なうように復調部２に通知する（Ｓ１１）。この通知を受けた復調部２では、診断後処理を行なう（Ｓ１２）。
【００３８】
この実施の形態によれば、復調部が空いている場合に診断を行なうようにしてオンライン診断を行なうことができる。
次に、本発明の別の実施の形態について説明する。ここでの実施の形態では、複数の復調部のうち、一部に対して診断を行なう場合に、その復調部が運用されているか否か、つまりチャネルが空いているか否かをＭＰＵ等の制御部で判断し、空いていない場合は、運用中のチャネルを別の復調部へ追い出しを行ない、空きを作った上で診断を行なうようにしたものである。
【００３９】
図９は本発明の第２の動作の一例を示すフローチャートである。先ず、診断実施ブロックの判断を行なう（Ｓ１）。ここでは、復調部２に実施するものとする。次に、ＭＰＵは復調部２と３にチャネルの空き状態の確認を行なう（Ｓ２）。復調部２からＭＰＵに対してチャネルの空き状態の通知を行ない（Ｓ３）、復調部３からＭＰＵに対してチャネルの空き状態の通知を行なう（Ｓ４）。
【００４０】
ＭＰＵはこれらのチャネルの空き状態通知を受けて、チャネルの空き状況の把握を行なう（Ｓ５）。ここでは、復調部３に空きを確認したものとする。ＭＰＵは復調部２に対して動作中のチャネルの追い出し開始通知を行なう（Ｓ６）。復調部２は、復調部３に対して動作中のチャネルを追い出し、停止完了の通知（チャネル状態の情報通知）を行なう（Ｓ７）。
【００４１】
ＭＰＵでは、復調部３に対して情報のコピー（追い出し処理）を行なう（Ｓ８）。復調部３では、追い出されてきたチャネルの起動／起動完了通知を行なう（Ｓ９）。ＭＰＵでは診断の準備を復調部２に対して行なう（Ｓ１０）。この通知を受けた復調部２は診断の準備を行なう（Ｓ１１）。次に、ＭＰＵは復調部２に対して診断の実施を通知する（Ｓ１２）。この通知を受けた復調部２では診断の実施を行なう（Ｓ１３）。その診断結果のＯＫ／ＮＧをＭＰＵに通知する（Ｓ１４）。この通知を受けたＭＰＵでは、復調部２に対して診断後処理を行なうように指示する（Ｓ１５）。復調部２では、診断後処理を行なう（Ｓ１６）。
【００４２】
以上、説明したように、この実施の形態によれば、復調部が空いていない場合には、その復調部の運用中のチャネルを別の復調部へ追い出して空きを作り、診断を行なうようにすることができる。
【００４３】
図１０は本発明の第２の実施の形態を示すブロック図である。図１と同一のものは、同一の符号を付して示す。この実施の形態は、干渉波生成部を疑似受信波生成部６１に設けた場合を示している。図の６５が干渉波生成部である。診断用に復調回路６３の前段部に疑似受信波生成部６１を設け、かつ干渉波生成部６５を設け、両者の出力信号を混合する構成としている。
【００４４】
ＣＤＭＡ方式の実際の無線伝搬環境では、受信したい端末（ユーザ）からの所望の受信波（希望波）に対して、他の端末からの受信波、或いは雑音は干渉波となるので、この環境を実現することを目的としている。
【００４５】
図において、６１が疑似受信波生成部、６５が干渉波を生成する干渉波生成部である。これら疑似受信波生成部６１の出力と、干渉波生成部６５とは加算器６６で加算されて、選択回路６２に入力されている。このように構成された回路の動作を説明すれば、以下の通りである。
【００４６】
アンテナ５０で受信された信号は無線受信回路５１で受信された後、続く分配器５２で３方向に分配され、それぞれの復調部６０に入る。各復調部６０では、疑似受信波生成部６１の出力と、干渉波生成部６５の出力とが加算器６６に入り、混合される。この加算器６６の出力と受信信号とが選択回路６２に入り、ＭＰＵ５５からの制御信号により何れか一方が選択されるようになっている。本実施の形態では、疑似受信波生成部６１と、干渉波生成部６５が設けられており、疑似受信波生成部６１で生成されたデータに干渉波成分が混合される。
【００４７】
ＢＥＲ測定モードの場合、ＭＰＵ５５の制御により選択回路６２で加算器６６が選択されると、エラーのあるデータが復調回路６３に入って復調され、続く自己診断回路６４でＢＥＲが算出され、ＭＰＵ５５に通知される。本発明では、ＢＥＲが１０-2程度になるような環境で試験が行われる。
【００４８】
図１１は干渉波生成回路の第１の実施の形態を示すブロック図である。干渉波生成回路は、変調回路７０と変調回路８０から構成されている。変調回路７０は、符号化部７１と、拡散コード生成部７２と、拡散部７３とから構成されている。６１ｂはデータを生成するデータ生成部であり、符号化部７１に入っている。該符号化部７１の出力は、拡散部７３に入っている。拡散コード生成部７２の出力は、拡散部７３に入っている。
【００４９】
変調回路８０は、符号化部８１と、拡散コード生成部８２と、拡散部８３とから構成されている。６１ｂはデータ生成部であり、符号化部８１に入っている。該符号化部８１の出力は拡散部８３に入っている。また、拡散コード生成部８２の出力は、拡散部８３に入っている。拡散部７３の出力が疑似受信波生成部６１の出力であり、拡散部８３の出力が干渉波生成部６５の出力である。加算器６６は疑似受信波生成部６１の出力と、干渉波生成部６５の出力を加算したものを干渉波として出力する。
【００５０】
図１２は干渉波生成回路の第２の実施の形態を示すブロック図である。図１１と同一のものは、同一の符号を付して示す。この回路は、疑似受信波生成部６１の構成は、図１１の回路と同じである。干渉波生成部６５としては、ＰＮ信号発生部６５ｂの出力がその出力とされる。疑似受信波生成部６１の出力と、干渉波生成部６５の出力（ＰＮ信号発生部６５ｂの出力）とが、加算器６６で加算され、干渉波として出力するようになっている。
【００５１】
図１３は本発明の第３の実施の形態を示すブロック図である。ハードウェア的な構成は、図１０と同じであるが、自己診断を復調部内部に持たせた自己診断回路で実施するものである。図１４は本発明の第３の動作の一例を示すフローチャートである。図は擬似受信波生成部と干渉波生成部と、選択回路と、自己診断回路と、ＭＰＵ間の信号及びデータのやりとりを示している。
【００５２】
先ずＭＰＵは診断の準備をする（Ｓ１）。次に復調部入力の選択切り替えを行なう（Ｓ２）。選択回路は、受信波／干渉波生成部を選択する（Ｓ４）。次に、ＭＰＵは受信波／干渉波生成を疑似受信波生成部・干渉波生成部に指令する（Ｓ５）。疑似受信波生成部・干渉波生成部は、受信波／干渉波生成を開始する（Ｓ６）。
【００５３】
ＭＰＵは診断を実施する（Ｓ７）。次に、自己診断回路に対して復調データの取得を指示する（Ｓ８）。自己診断回路は、復調データのメモリ格納を行なう（Ｓ９）。次に、ＭＰＵは自己診断回路に対して自己診断の実施を指示する（Ｓ１０）。自己診断回路は、自己診断の実施を行なう（Ｓ１１）。自己診断が終了したら、自己診断回路は診断結果の判定（ＯＫ／ＮＧ）を行ない（Ｓ１２）、ＭＰＵに通知する。ＭＰＵは、診断結果をメモリに格納する（Ｓ１３）。
【００５４】
診断結果を格納したら、ＭＰＵは診断後処理を行なう（Ｓ１４）。次に、疑似受信波生成部・干渉波生成部に対して受信波／干渉波の出力を停止させる（Ｓ１５）。この停止信号を受けた疑似受信波生成部・干渉波生成部は受信波／干渉波生成を停止する（Ｓ１６）。次に、ＭＰＵは選択回路に対して復調部入力の選択切り替えを指示する（Ｓ１７）。この指示を受けた選択回路は、今度は無線受信回路側を選択し（Ｓ１８）、通常の無線受信処理が行なわれる。
【００５５】
図１５は本発明の第４の実施の形態を示すブロック図である。図１３と同一のものは、同一の符号を付して示す。この実施の形態は、自己診断処理をＭＰＵ５５の自己診断処理部５５ａに任せるようにしたものである。この結果、復調回路６３の出力はメモリ６８に入り、該メモリ６８の出力がＭＰＵ５５と接続されるようになっている。図１６は本発明の第４の動作の一例を示すフローチャートである。
【００５６】
先ず、ＭＰＵは、診断の準備をする（Ｓ１）。次に、ＭＰＵは復調部入力の選択切り替えを選択回路に指示する（Ｓ２）。選択回路は、この指示を受けると、受信波／干渉波生成部を選択する（Ｓ３）。次に、ＭＰＵは疑似受信波生成部・干渉波生成部に対して、受信波／干渉波の生成を指令する（Ｓ４）。この指令を受けた疑似受信波生成部・干渉波生成部は、受信波／干渉波発生の発生を開始する（Ｓ５）。
【００５７】
次に、ＭＰＵの自己診断処理部は、診断を実施する（Ｓ６）。先ずメモリに対して復調データの取得指示を行なう（Ｓ７）。メモリは、復調データを内部に格納する（Ｓ８）。次に、メモリは自己診断処理部に対してデータの通知を行なう（Ｓ９）。この通知を受けた自己診断処理部は、復調データの取得を行なう（Ｓ１０）。そして、自己診断の実施を行なう（Ｓ１１）。
【００５８】
そして、診断結果の判定（ＯＫ／ＮＧ）を行なう（Ｓ１２）。そして、診断結果を内部のメモリに格納する（Ｓ１３）。その後、ＭＰＵは診断後処理を行なう（Ｓ１４）。次に、ＭＰＵは受信波／干渉波を停止する指示を疑似受信波生成部・干渉波生成部に対して出す（Ｓ１５）。疑似受信波生成部・干渉波生成部は、受信波／干渉波発生を停止する（Ｓ１６）。次に、ＭＰＵは選択回路に対して復調部入力の選択切り替え指示を行なう（Ｓ１７）。選択回路はこの指示を受けて無線受信回路側を選択し、通常の受信処理が行なわれる。
【００５９】
上述の実施の形態においては、装置として運用中（サービス提供中）であるが、一部の復調部が空いている状態での自己診断の制御方法について示したが、これを複数の復調部に対して実施する方法もある。更に運用（サービス）を一時中断できる場合は、全ての復調部に一括して自己診断を実施してもよい。
【００６０】
また、上述の実施の形態においては、復調部をチャネル単位、あるいは複数チャネルを有するブロック単位、あるいは複数ブロックを有するカード（プリント板）単位で区切って診断する制御方法をとってもよい。チャネル単位やブロック単位、カード単位で制御することで、細かな単位での自己診断から、大きな単位での自己診断を実施することができる。
【００６１】
以上、説明したように、本発明によれば、本発明は、データ誤りがある疑似受信波を生成することができ、またＢＥＲを算出し、診断する構成とすることができる。更に、自己診断を運用中にも実施することができるように復調部を制御することができる。
【図面の簡単な説明】
【００６２】
【図１】本発明の第１の実施の形態を示すブロック図である。
【図２】疑似受信波生成部の第１の実施の形態を示すブロック図である。
【図３】疑似受信波生成部の第２の実施の形態を示すブロック図である。
【図４】自己診断回路の第１の実施の形態を示すブロック図である。
【図５】自己診断回路の動作の一例を示すフローチャートである。
【図６】自己診断回路の第２の実施の形態を示すブロック図である。
【図７】自己診断回路の動作の一例を示すフローチャートである。
【図８】本発明の第１の動作の一例を示すフローチャートである。
【図９】本発明の第２の動作の一例を示すフローチャートである。
【図１０】本発明の第２の実施の形態を示すブロック図である。
【図１１】干渉波生成回路の第１の実施の形態を示すブロック図である。
【図１２】干渉波生成回路の第２の実施の形態を示すブロック図である。
【図１３】本発明の第３の実施の形態を示すブロック図である。
【図１４】本発明の第３の動作の一例を示すフローチャートである。
【図１５】本発明の第４の実施の形態を示すブロック図である。
【図１６】本発明の第４の動作の一例を示すフローチャートである。
【図１７】従来のベースバンド復調部の診断回路の構成例を示す図である。
【図１８】従来の疑似受信波生成部の構成例を示す図である。
【図１９】従来の自己診断回路の構成例を示す図である。
【図２０】従来装置の他の構成例を示すブロック図である。
【図２１】従来装置の他の構成例を示すブロック図である。
【符号の説明】
【００６３】
５０    アンテナ
５１    無線受信回路
５２    分配器
５５    ＭＰＵ
６０    復調部
６１    疑似受信波生成部
６１ａ  エラー挿入部
６２    選択回路
６３    復調回路
６４    自己診断回路
【図１】
2008300900.tif 000003
【図２】
2008300900.tif 000004
【図３】
2008300900.tif 000005
【図４】
2008300900.tif 000006
【図５】
2008300900.tif 000007
【図６】
2008300900.tif 000008
【図７】
2008300900.tif 000009
【図８】
2008300900.tif 000010
【図９】
2008300900.tif 000011
【図１０】
2008300900.tif 000012
【図１１】
2008300900.tif 000013
【図１２】
2008300900.tif 000014
【図１３】
2008300900.tif 000015
【図１４】
2008300900.tif 000016
【図１５】
2008300900.tif 000017
【図１６】
2008300900.tif 000018
【図１７】
2008300900.tif 000019
【図１８】
2008300900.tif 000020
【図１９】
2008300900.tif 000021
【図２０】
2008300900.tif 000022
【図２１】
2008300900.tif 000023